【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
同じ色のインクを吐出するための複数のノズルが所定方向に配列された第１のノズル列と第２のノズル列とを有し、前記第１のノズル列の前記所定方向における一方の端部に配列された一部のノズルと、前記第２のノズル列の前記所定方向における前記第１のノズル列側の端部に配列された一部のノズルとが、前記所定方向とほぼ直交する交差方向に並ぶことで記録媒体上の同一の領域に記録可能な重複部を形成するように、前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドそれぞれが前記交差方向に並んで配置された記録ヘッド群と前記記録媒体とを相対的に移動させながら前記記録ヘッド群からインクを吐出することにより記録を行うインクジェット記録装置であって、
前記インクジェット記録装置が前記第１の色のインクと前記第２の色のインクとの両方を用いて記録することが可能な色の数は、前記インクジェット記録装置が前記第１の色のインクと前記第３の色のインクとの両方を用いて記録することが可能な色の数よりも少なく、
前記第１の記録ヘッドの前記重複部と前記第２の記録ヘッドの前記重複部とが前記所定方向において重なる幅Ｗ１（Ｗ１＞０）は、前記第１の記録ヘッドの前記重複部と前記第３の記録ヘッドの前記重複部とが前記所定方向において重なる幅Ｗ２（Ｗ２≧０）よりも広いことを特徴とするインクジェット記録装置。
【請求項２】
同じ色のインクを吐出するための複数のノズルが所定方向に配列された第１のノズル列と第２のノズル列とを有し、前記第１のノズル列の前記所定方向における一方の端部に配列された一部のノズルと、前記第２のノズル列の前記所定方向における前記第１のノズル列側の端部に配列された一部のノズルとが、前記所定方向とほぼ直交する交差方向に並ぶことで記録媒体上の同一の領域に記録可能な重複部を形成するように、前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドそれぞれが前記交差方向に並んで配置された記録ヘッド群と前記記録媒体とを相対的に移動させながら前記記録ヘッド群からインクを吐出することにより記録を行うインクジェット記録装置であって、
前記インクジェット記録装置が前記第１の色のインクと前記第２の色のインクとの両方を用いて記録することが可能な色を記録する際に使用する前記第１の色のインクと第２の色のインクの量の合計は、前記インクジェット記録装置が前記第１の色のインクと前記第３の色のインクとの両方を用いて記録することが可能な色を記録する際に使用する前記第１の色のインクと第３の色のインクの量の合計よりも少なく、
前記第１の記録ヘッドの前記重複部と前記第２の記録ヘッドの前記重複部とが前記所定方向において重なる幅Ｗ１（Ｗ１＞０）は、前記第１の記録ヘッドの前記重複部と前記第３の記録ヘッドの前記重複部とが前記所定方向において重なる幅Ｗ２（Ｗ２≧０）よりも広いことを特徴とするインクジェット記録装置。
【請求項３】
前記第１の記録ヘッドの前記重複部と前記第２の記録ヘッドの前記重複部は、前記所定方向に一致していることを特徴とする請求項１または２に記載のインクジェット記録装置。
【請求項４】
前記Ｗ２は０であることを特徴とする請求項１から３のいずれか１項に記載のインクジェット記録装置。
【請求項５】
前記第１の記録ヘッドの前記重複部と前記第３の記録ヘッドの前記重複部は、前記所定方向に所定の間隔をとるように配置されていることを特徴とする請求項４に記載のインクジェット記録装置。
【請求項６】
前記第１の色のインクはブラックインクであり、前記第２の色のインクは前記インクジェット記録装置において用いられるインクより濃度が低い淡色のインクであることを特徴とする請求項１から５のいずれかに記載のインクジェット記録装置。
【請求項７】
前記第２の色のインクは、オレンジインク、グリーンインク、ブルーインクのいずれかであることを特徴とする請求項１から５のいずれかに記載のインクジェット記録装置。
【請求項８】
同じ色のインクを吐出するための複数のノズルが所定方向に配列された第１のノズル列と第２のノズル列とを有し、前記第１のノズル列の前記所定方向における一方の端部に配列された一部のノズルと、前記第２のノズル列の前記所定方向における前記第１のノズル列側の端部に配列された一部のノズルとが、前記所定方向とほぼ直交する交差方向に並ぶことで記録媒体上の同一の領域に記録可能な重複部を形成するように、前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドそれぞれが前記交差方向に並んで配置された記録ヘッド群と前記記録媒体とを相対的に移動させながら前記記録ヘッド群からインクを吐出することにより記録を行うインクジェット記録方法であって、
前記第１の色のインクと前記第２の色のインクとの両方を用いて記録することが可能な色の数は、前記第１の色のインクと前記第３の色のインクとの両方を用いて記録することが可能な色の数よりも少なく、
前記第１の記録ヘッドの前記重複部と前記第２の記録ヘッドの前記重複部とが前記所定方向において重なる幅Ｗ１（Ｗ１≧０）は、前記第１の記録ヘッドの前記重複部と前記第３の記録ヘッドの前記重複部とが前記所定方向において重なる幅Ｗ２（Ｗ２≧０よりも広いことを特徴とするインクジェット記録方法。
【請求項９】
同じ色のインクを吐出するための複数のノズルが所定方向に配列された第１のノズル列と第２のノズル列とを有し、前記第１のノズル列の前記所定方向における一方の端部に配列された一部のノズルと、前記第２のノズル列の前記所定方向における前記第１のノズル列側の端部に配列された一部のノズルとが、前記所定方向とほぼ直交する交差方向に並ぶことで記録媒体上の同一の領域に記録可能な重複部を形成するように、前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドそれぞれが前記交差方向に並んで配置された記録ヘッド群と前記記録媒体とを相対的に移動させながら前記記録ヘッド群からインクを吐出することにより記録を行うインクジェット記録方法であって、
前記第１の色のインクと前記第２の色のインクとの両方を用いて記録することが可能な色を記録する際に使用する前記第１の色のインクと第２の色のインクの量の合計は、前記第１の色のインクと前記第３の色のインクとの両方を用いて記録することが可能な色を記録する際に使用する前記第１の色のインクと第３の色のインクの量の合計よりも少なく、
前記第１の記録ヘッドの前記重複部と前記第２の記録ヘッドの前記重複部とが前記所定方向において重なる幅Ｗ１（Ｗ１≧０）は、前記第１の記録ヘッドの前記重複部と前記第３の記録ヘッドの前記重複部とが前記所定方向において重なる幅Ｗ２（Ｗ２≧０よりも広いことを特徴とするインクジェット記録方法。
【請求項１０】
同じ色のインクを吐出するための複数のノズルが所定方向に配列された第１のノズル列と第２のノズル列とを有し、前記第１のノズル列の前記所定方向における一方の端部に配列された一部のノズルと、前記第２のノズル列の前記所定方向における前記第１のノズル列側の端部に配列された一部のノズルとが、前記所定方向とほぼ直交する交差方向に並ぶことで記録媒体上の同一の領域に記録可能な重複部を形成するように、前記所定方向に配置された記録ヘッドであって、第１の色のインクを吐出する第１の前記記録ヘッド、前記第１の色と異なる第２の色のインクを吐出する第２の前記記録ヘッド、前記第１の色と同じ色相であり、且つ、前記第１の色より低い濃度である色のインクを吐出する第３の前記記録ヘッド、ブラックインクを吐出する第４の前記記録ヘッドそれぞれが前記交差方向に並んで配置された記録ヘッド群と前記記録媒体とを相対的に移動させながら前記記録ヘッド群からインクを吐出することにより記録を行うインクジェット記録装置であって、
前記第３の記録ヘッドの前記重複部と前記第４の記録ヘッドの前記重複部とが前記所定方向において重なる幅Ｗ１（Ｗ１≧０）は、前記第１の記録ヘッドの前記重複部と前記第２の記録ヘッドの前記重複部とが前記所定方向において重なる幅Ｗ２（Ｗ２≧０よりも広いことを特徴とするインクジェット記録装置。
【請求項１１】
前記第３の記録ヘッドの前記重複部と前記第４の記録ヘッドの前記重複部は、前記所定方向に一致していることを特徴とする請求項１０に記載のインクジェット記録装置。
【請求項１２】
前記第１の記録ヘッドの前記重複部と前記第２の記録ヘッドの前記重複部は、前記所定方向に重なっていないことを特徴とする請求項１０または１１に記載のインクジェット記録装置。
【請求項１３】
前記第１の記録ヘッドの前記重複部と前記第２の記録ヘッドの前記重複部は、前記所定方向に所定の間隔をとるように配置されていることを特徴とする請求項１２に記載のインクジェット記録装置。
【手続補正２】
【補正対象書類名】明細書
【補正対象項目名】０００７
【補正方法】変更
【補正の内容】
【０００７】
本発明は、同じ色のインクを吐出するための複数のノズルが所定方向に配列された第１のノズル列と第２のノズル列とを有し、前記第１のノズル列の前記所定方向における一方の端部に配列された一部のノズルと、前記第２のノズル列の前記所定方向における前記第１のノズル列側の端部に配列された一部のノズルとが、前記所定方向とほぼ直交する交差方向に並ぶことで記録媒体上の同一の領域に記録可能な重複部を形成するように、前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドそれぞれが前記交差方向に並んで配置された記録ヘッド群と前記記録媒体とを相対的に移動させながら前記記録ヘッド群からインクを吐出することにより記録を行うインクジェット記録装置であって、前記インクジェット記録装置が前記第１の色のインクと前記第２の色のインクとの両方を用いて記録することが可能な色の数は、前記インクジェット記録装置が前記第１の色のインクと前記第３の色のインクとの両方を用いて記録することが可能な色の数よりも少なく、前記第１の記録ヘッドの前記重複部と前記第２の記録ヘッドの前記重複部とが前記所定方向において重なる幅Ｗ１（Ｗ１＞０）は、前記第１の記録ヘッドの前記重複部と前記第３の記録ヘッドの前記重複部とが前記所定方向において重なる幅Ｗ２（Ｗ２≧０）よりも広いことを特徴とする。